(57)【特許請求の範囲】
【請求項１】
キャリア・アグリゲーション・システムの非周期的アップリンク・サウンディング・リファレンス信号ＳＲＳを動的にトリガする方法であって、前記システム内のアップリンク・スケジュールは、ＳＲＳ要求フィールドを含み、前記方法は、
前記アップリンク・スケジュール内の前記ＳＲＳ要求フィールドの異なる値とキャリア・アグリゲーション・パラメータおよび少なくとも１つのユーザ固有ＳＲＳパラメータの合同符号化との間のマッピング関係を事前に割り当てるステップであって、前記キャリア・アグリゲーション・パラメータは、１つまたは複数の搬送波成分を示す、ステップと、
前記キャリア・アグリゲーション・パラメータおよび前記少なくとも１つのユーザ固有ＳＲＳパラメータを判定するステップと、
前記事前に割り当てられたマッピング関係、前記判定されたキャリア・アグリゲーション・パラメータ、および前記少なくとも１つのユーザ固有ＳＲＳパラメータに基づいて前記アップリンク・スケジュール内の前記ＳＲＳ要求フィールドに値を割り当てるステップと、
前記アップリンク・スケジュールを送信するステップと
を含む、方法。
【請求項２】
前記少なくとも１つのユーザ固有ＳＲＳパラメータは、
ＳＲＳタイム・インターバル、ＳＲＳ送信コム・オフセット量、ＳＲＳ周波数ドメイン・ホッピング・スイッチ、循環シフト・インデックス・オフセット量
のうちの１つまたは２つである、請求項１に記載の方法。
【請求項３】
前記少なくとも１つのユーザ固有ＳＲＳパラメータは、ＳＲＳタイム・インターバルであり、前記ＳＲＳ要求フィールドは、２ビットを有し、前記ＳＲＳ要求フィールドの４つの異なる値は、それぞれ、
ＳＲＳトリガなし、
１つのＵＬ  ＣＣ上でワンショットＳＲＳをトリガする、
１つのＵＬ  ＣＣ上でマルチショットＳＲＳをトリガする、
構成された複数のＵＬ  ＣＣのすべてまたはサブセット上でワンショットＳＲＳまたはマルチショットＳＲＳをトリガする
としてマッピングされる、請求項１または２に記載の方法。
【請求項４】
前記少なくとも１つのユーザ固有ＳＲＳパラメータは、ＳＲＳ送信コム・オフセットであり、前記ＳＲＳ要求フィールドは、２ビットを有し、前記ＳＲＳ要求フィールドの４つの異なる値は、それぞれ、
ＳＲＳトリガなし、
１つのＵＬ  ＣＣ上で１つのコム・オフセット量と共に非周期的ＳＲＳの送信をトリガする、
１つのＵＬ  ＣＣ上で前記１つのコム・オフセットとは異なる別のコム・オフセットと共に非周期的ＳＲＳの送信をトリガする、
構成された複数のＵＬ  ＣＣのすべてまたはサブセット上で前記１つのコム・オフセットまたは前記別のコム・オフセットと共に非周期的ＳＲＳの送信をトリガする
としてマッピングされる、請求項１または２に記載の方法。
【請求項５】
前記少なくとも１つのユーザ固有ＳＲＳパラメータは、ＳＲＳ周波数ドメイン・ホッピング・スイッチであり、前記ＳＲＳ要求フィールドは、２ビットを有し、前記ＳＲＳ要求フィールドの４つの異なる値は、それぞれ、
ＳＲＳトリガなし、
１つのＵＬ  ＣＣ上で周波数ドメイン・ホッピングを伴って非周期的ＳＲＳをトリガする、
１つのＵＬ  ＣＣ上で周波数ドメイン・ホッピングを伴わずに非周期的ＳＲＳをトリガする、
構成された複数のＵＬ  ＣＣのすべてまたはサブセット上で周波数ドメイン・ホッピングを伴って／伴わずに非周期的ＳＲＳをトリガする
としてマッピングされる、請求項１または２に記載の方法。
【請求項６】
前記少なくとも１つのユーザ固有ＳＲＳパラメータは、ＳＲＳ循環シフト・インデックスＣＳオフセット量であり、前記ＳＲＳ要求フィールドは、２ビットを有し、前記ＳＲＳ要求フィールドの４つの異なる値は、それぞれ、
ＳＲＳトリガなし、
１つのＵＬ  ＣＣ上でＲＲＣ構成されたＣＳインデックスごとのＣＳと共に非周期的ＳＲＳをトリガする、
１つのＵＬ  ＣＣ上で前記ＲＲＣ構成されたＣＳインデックスごとに１つのＣＳオフセット量だけオフセットされたＣＳと共に非周期的ＳＲＳをトリガする、
構成された複数のＵＬ  ＣＣのすべてまたはサブセット上でＲＲＣ構成されたＣＳインデックスごとのＣＳと共に非周期的ＳＲＳをトリガするか、構成された複数のＵＬ  ＣＣのすべてまたはサブセット上で前記ＲＲＣ構成されたＣＳインデックスごとに１つのＣＳオフセット量だけオフセットされたＣＳと共に非周期的ＳＲＳをトリガする
としてマッピングされる、請求項１または２に記載の方法。
【請求項７】
前記少なくとも１つのユーザ固有ＳＲＳパラメータは、ＳＲＳタイム・インターバルおよびＳＲＳ送信コム・オフセット量であり、前記ＳＲＳ要求フィールドは、３ビットを有し、前記ＳＲＳ要求フィールドの８つの異なる値は、それぞれ、
ＳＲＳトリガなし、
１つのＵＬ  ＣＣ上で１つのコム・オフセット量と共にワンショットＳＲＳの送信をトリガする、
１つのＵＬ  ＣＣ上で前記１つのコム・オフセット量とは異なる別のコム・オフセット量と共にワンショットＳＲＳの送信をトリガする、
１つのＵＬ  ＣＣ上で１つのコム・オフセット量と共にマルチショットＳＲＳの送信をトリガする、
１つのＵＬ  ＣＣ上で別のコム・オフセット量と共にマルチショットＳＲＳの送信をトリガする、
構成された複数のＵＬ  ＣＣのすべてまたはサブセット上でワンショットＳＲＳをトリガし、それぞれのＵＬ  ＣＣに対応するコム・オフセット量は、ＲＲＣシグナリングによって構成された同一の量に従う、
構成された複数のＵＬ  ＣＣのすべてまたはサブセット上でワンショットＳＲＳをトリガし、それぞれのＵＬ  ＣＣに対応するコム・オフセット量は、それぞれＲＲＣシグナリングによって構成された異なる量に従う、
構成された複数のＵＬ  ＣＣのすべてまたはサブセット上でマルチショットＳＲＳをトリガし、それぞれのＵＬ  ＣＣに対応するコム・オフセット量は、ＲＲＣシグナリングによって構成された同一の量／異なる量に従う
としてマッピングされる、請求項１または２に記載の方法。
【請求項８】
前記少なくとも１つのユーザ固有ＳＲＳパラメータは、ＳＲＳ循環シフト・インデックスＣＳオフセット量であり、前記ＳＲＳ要求フィールドは、３ビットを有し、前記ＳＲＳ要求フィールドの８つの異なる値は、それぞれ、
ＳＲＳトリガなし、
１つのＵＬ  ＣＣ上で前記ＲＲＣ構成されたＣＳインデックスごとにオフセット０であるＣＳと共に非周期的ＳＲＳをトリガする、
１つのＵＬ  ＣＣ上で前記ＲＲＣ構成されたＣＳインデックスごとにオフセット＋２であるＣＳと共に非周期的ＳＲＳをトリガする、
１つのＵＬ  ＣＣ上で前記ＲＲＣ構成されたＣＳインデックスごとにオフセット＋４であるＣＳと共に非周期的ＳＲＳをトリガする、
１つのＵＬ  ＣＣ上で前記ＲＲＣ構成されたＣＳインデックスごとにオフセット＋６であるＣＳと共に非周期的ＳＲＳをトリガする、
構成された複数のＵＬ  ＣＣのすべてまたはサブセット上で前記ＲＲＣ構成されたＣＳインデックスごとにオフセット０であるＣＳと共に非周期的ＳＲＳをトリガする、
構成された複数のＵＬ  ＣＣのすべてまたはサブセット上で前記ＲＲＣ構成されたＣＳインデックスごとにオフセット２であるＣＳと共に非周期的ＳＲＳをトリガする、
構成された複数のＵＬ  ＣＣのすべてまたはサブセット上で前記ＲＲＣ構成されたＣＳインデックスごとにオフセット４であるＣＳと共に非周期的ＳＲＳをトリガする
としてマッピングされる、請求項１または２に記載の方法。
【請求項９】
キャリア・アグリゲーション・システムの非周期的アップリンク・サウンディング・リファレンス信号ＳＲＳを送信する方法であって、前記システム内のアップリンク・スケジュールは、ＳＲＳ要求フィールドを含み、前記方法は、
前記アップリンク・スケジュール内の前記ＳＲＳ要求フィールドの異なる値と、キャリア・アグリゲーション・パラメータおよび少なくとも１つのユーザ固有ＳＲＳパラメータの合同符号化との間のマッピング関係を事前に割り当てるステップであって、前記キャリア・アグリゲーション・パラメータは、１つまたは複数の搬送波成分を示す、ステップと、
前記アップリンク・スケジュールを受信するステップと、
前記ＳＲＳを送信する際に使用される前記キャリア・アグリゲーション・パラメータおよび前記少なくとも１つのユーザ固有ＳＲＳパラメータを判定するために、前記事前に割り当てられたマッピング関係に基づいて、前記受信されたアップリンク・スケジュール内の前記ＳＲＳ要求フィールドをデマッピングするステップと
を含む、方法。
【請求項１０】
キャリア・アグリゲーション・システムの非周期的アップリンク・サウンディング・リファレンス信号ＳＲＳを動的にトリガする装置であって、前記システム内のアップリンク・スケジュールは、ＳＲＳ要求フィールドを含み、前記装置は、
前記アップリンク・グラント内の前記ＳＲＳ要求フィールドの異なる値とキャリア・アグリゲーション・パラメータおよび少なくとも１つのユーザ固有ＳＲＳパラメータの合同符号化との間のマッピング関係を事前に割り当てるように構成された第１の事前割当て手段であって、前記キャリア・アグリゲーション・パラメータは、１つまたは複数の搬送波成分を示す、第１の事前割当て手段と、
前記キャリア・アグリゲーション・パラメータおよび前記少なくとも１つのユーザ固有ＳＲＳパラメータを判定するように構成された第１の判定手段と、
前記事前に割り当てられたマッピング関係、前記判定されたキャリア・アグリゲーション・パラメータ、および前記少なくとも１つのユーザ固有ＳＲＳパラメータに基づいて前記アップリンク・グラント内の前記ＳＲＳ要求フィールドに値を割り当てるように構成された第１の値割当て手段であって、前記キャリア・アグリゲーション・パラメータは、１つまたは複数の搬送波成分を示す、第１の値割当て手段と、
前記アップリンク・スケジュールを送信するように構成された第１の送信手段と
備える、装置。
【請求項１１】
キャリア・アグリゲーション・システムの非周期的アップリンク・サウンディング・リファレンス信号ＳＲＳを送信する装置であって、前記システム内のアップリンク・スケジュールは、ＳＲＳ要求フィールドを含み、前記装置は、
前記アップリンク・スケジュール内の前記ＳＲＳ要求フィールドの異なる値と、キャリア・アグリゲーション・パラメータおよび少なくとも１つのユーザ固有ＳＲＳパラメータの合同符号化との間のマッピング関係を事前に割り当てるように構成された第３の事前割当て手段であって、前記キャリア・アグリゲーション・パラメータは、１つまたは複数の搬送波成分を示す、第３の事前割当て手段と、
前記アップリンク・スケジュールを受信するように構成された受信手段と、
前記ＳＲＳを送信する際に使用される前記キャリア・アグリゲーション・パラメータおよび前記少なくとも１つのユーザ固有ＳＲＳパラメータを判定するために、前記事前に割り当てられたマッピング関係に基づいて、前記受信されたアップリンク・スケジュール内の前記ＳＲＳ要求フィールドをデマッピングするように構成されたデマッピング手段と
を備える、装置。
【請求項１２】
キャリア・アグリゲーション・システムの非周期的アップリンク・サウンディング・リファレンス信号ＳＲＳを動的にトリガする方法であって、前記システム内のアップリンク・スケジュールは、１ビットＳＲＳ要求フィールドおよびキャリア・インジケータＣＩＦフィールドを含み、前記方法は、
前記アップリンク・スケジュール内の前記ＳＲＳ要求フィールドおよび前記ＣＩＦフィールドの異なる値とキャリア・アグリゲーション・パラメータとの間のマッピング関係を事前に割り当てるステップであって、前記キャリア・アグリゲーション・パラメータは、１つまたは複数の搬送波成分を示す、ステップと、
前記キャリア・アグリゲーション・パラメータを判定するステップと、
前記事前に割り当てられたマッピング関係および前記判定されたキャリア・アグリゲーション・パラメータに基づいて前記アップリンク・スケジュール内の前記ＳＲＳ要求フィールドに値を割り当てるステップと、
前記アップリンク・スケジュールを送信するステップと
を含む、方法。
【請求項１３】
キャリア・アグリゲーション・システムの非周期的アップリンク・サウンディング・リファレンス信号ＳＲＳを送信する方法であって、前記システム内のアップリンク・スケジュールは、１ビットＳＲＳ要求フィールドおよびＣＩＦフィールドを含み、前記方法は、
前記アップリンク・スケジュール内の前記ＳＲＳ要求フィールドおよび前記ＣＩＦフィールドの異なる値とキャリア・アグリゲーション・パラメータとの間のマッピング関係を事前に割り当てるステップであって、前記キャリア・アグリゲーション・パラメータは、１つまたは複数の搬送波成分を示す、ステップと、
前記アップリンク・スケジュールを受信するステップと、
ＳＲＳを送信する際に使用される前記キャリア・アグリゲーション・パラメータを判定するために、前記事前に割り当てられたマッピング関係に基づいて、前記受信されたアップリンク・スケジュールをデマッピングするステップと
を含む、方法。
【請求項１４】
キャリア・アグリゲーション・システムの非周期的アップリンク・サウンディング・リファレンス信号ＳＲＳを動的にトリガする装置であって、前記システム内のアップリンク・スケジュールは、１ビットＳＲＳ要求フィールドおよびＣＩＦフィールドを含み、前記装置は、
前記アップリンク・スケジュール内の前記ＳＲＳ要求フィールドおよび前記ＣＩＦフィールドの異なる値とキャリア・アグリゲーション・パラメータとの間のマッピング関係を事前に割り当てるように構成された第２の事前割当て手段であって、前記キャリア・アグリゲーション・パラメータは、１つまたは複数の搬送波成分を示す、第２の事前割当て手段と、
前記キャリア・アグリゲーション・パラメータを判定するように構成された第２の判定手段と、
前記事前に割り当てられたマッピング関係および前記判定されたキャリア・アグリゲーション・パラメータに基づいて前記アップリンク・スケジュール内の前記ＳＲＳ要求フィールドに値を割り当てるように構成された第２の値割当て手段と、
前記アップリンク・スケジュールを送信するように構成された第２の送信手段と
を備える、装置。
【請求項１５】
キャリア・アグリゲーション・システムの非周期的アップリンク・サウンディング・リファレンス信号ＳＲＳを送信する装置であって、前記システム内のアップリンク・スケジュールは、１ビットＳＲＳ要求フィールドおよびＣＩＦフィールドを含み、前記装置は、
前記アップリンク・スケジュール内の前記ＳＲＳ要求フィールドおよび前記ＣＩＦフィールドの異なる値とキャリア・アグリゲーション・パラメータとの間のマッピング関係を事前に割り当てるように構成された第４の事前割当て手段であって、前記キャリア・アグリゲーション・パラメータは、１つまたは複数の搬送波成分を示す、第４の事前割当て手段と、
前記アップリンク・スケジュールを受信するように構成された受信手段と、
ＳＲＳを送信する際に使用される前記キャリア・アグリゲーション・パラメータを判定するために、前記事前に割り当てられたマッピング関係に基づいて、前記受信されたアップリンク・スケジュールをデマッピングするように構成されたデマッピング手段と
を備える、装置。
【発明の詳細な説明】
【技術分野】
【０００１】
本発明は、キャリア・アグリゲーション・システムに関し、詳細には、キャリア・アグリゲーション・システムの非周期的アップリンク・サウンディング・リファレンス信号を動的にトリガする方法および装置と、キャリア・アグリゲーション・システムの非周期的アップリンク・サウンディング・リファレンス信号を送信する方法および装置とに関する。
【背景技術】
【０００２】
通信システム、たとえばＬＴＥおよびそのさらなる進化システムでは、アップリンクを介する周波数選択的スケジューリングを実行するために、アップリンク・サウンディング・リファレンス信号ＳＲＳを使用してチャネル品質を判定することが要求される。異なるユーザ間のアップリンク・サウンディング・リファレンス信号は、より正確なチャネル品質サウンディング（ｃｈａｎｎｅｌ  ｑｕａｌｉｔｙ  ｓｏｕｎｄｉｎｇ）結果を得るために、直交またはほぼ直交に維持される必要があり、これによって、アップリンク・スケジューリングにさらに影響し、またはシステム性能にさえ影響する。
【０００３】
現在のＬＴＥ  Ｒｅｌ−８は、周期的ＳＲＳトリガならびにＲＲＣシグナリングによる周期的ＳＲＳトリガの構成パラメータの割当てを提案している。しかし、ＲＲＣシグナリングは、高水準シグナリングであり、そのサイクルは、どちらかといえば長く、たとえば１５ｍｓのレベルである。この周期的ＳＲＳトリガ機構は、常に、チャネル条件、ユーザ構成、およびシステム内の搬送波成分の変化速度についてゆくことができず、周期的ＳＲＳトリガ機構が、ＬＴＥ−Ａ  Ｒｅｌ−１０リソース・スケジューリングの需要を満足できなくなっている。したがって、非周期的ＳＲＳトリガが望ましい。
【０００４】
ＬＴＥのさらなる進化に伴って、キャリア・アグリゲーション技術が導入される。ＬＴＥシステム内のセルごとに１つの搬送波を構成する解決策と比較して、ＬＴＥのさらなる進化システム内の各セルを、コンポーネント・キャリア（ｃｏｍｐｏｎｅｎｔ  ｃａｒｒｉｅｒ）ＣＣと呼ばれる複数の搬送波を用いて構成され得、各ＵＥは、それにサービスする複数のＣＣを有する場合もある。その結果、異なるユーザ間のＳＲＳ送信中のコリジョンの確率が増える（すなわち、よい直交性を保証することは不可能である）。
【０００５】
提案Ｒ１−１０５３９８「Ｒｅｓｏｕｒｃｅｓ  ｆｏｒ  Ｄｙｎａｍｉｃ  ＳＲＳ  Ｍｕｌｔｉｐｌｅｘｉｎｇ」で、Ｓａｍｓｕｎｇ  Ｃｏｒｐｏｒａｔｉｏｎは、ダウンリンク制御情報（ｄｏｗｎｌｉｎｋ  ｃｏｎｔｒｏｌ  ｉｎｆｏｒｍａｔｉｏｎ）ＤＣＩフォーマット内の未使用のチャネル状態情報（ｃｈａｎｎｅｌ  ｓｔａｔｅ  ｉｎｆｏｒｍａｔｉｏｎ：ＣＳＩ）の８つの状態を借用することによって、非周期的ＳＲＳパラメータ内の循環シフトＣＳと送信コム・オフセット量とのある組合せの可能な状態を示す間接構成方法を提案している。しかし、この間接解決策は、複数の問題を有する。同一のサブフレーム上でＳＲＳ送信をトリガしながらアップリンク共有チャネル（ｕｐｌｉｎｋ  ｓｈａｒｅｄ  ｃｈａｎｎｅｌ：ＵＬ−ＳＣＨ）データをスケジューリングする必要がある時には、ＣＳＩフィールドを借用することに基づいてＳＲＳパラメータを構成するこの手法は、データ・スケジューリングもＣＳＩフィールドを使用することを必要とするので、衝突を引き起こす。さらに、この構成方法は、キャリア・アグリゲーションＣＡを考慮に入れていない。あるサブフレーム内で、複数のＵＬ  ＣＣ上でＳＲＳを送信することが要求され、これらのＵＬ  ＣＣが、対応するＰＵＳＣＨデータ送信を有しない場合には、この手法は、非周期的ＳＲＳ要求のために追加のアップリンク・スケジュール（ＵＬグラント）を必要とする。異なるＵＬ  ＣＣの非周期的ＳＲＳ要求に関する複数のＵＬスケジュールが複数の連続するサブフレーム内で送信される場合に、それぞれのＵＬ  ＣＣでのＳＲＳ送信遅延は、大幅に増やされる。その一方で、アップリンク・スケジュール内の非周期的ＳＲＳトリガが、すべての構成された複数のＵＬ  ＣＣに向けられると柔軟性を欠いて解釈される場合には、ＵＬ  ＣＣの一部が実際にはＳＲＳ送信を必要としない場合であっても、すべてのＵＬ  ＣＣが、非周期的ＳＲＳ送信を実行し、これが、追加のＳＲＳ送信オーバーヘッドを被る可能性がある。
【先行技術文献】
【非特許文献】
【０００６】
【非特許文献１】提案Ｒ１−１０５３９８「Ｒｅｓｏｕｒｃｅｓ  ｆｏｒ  Ｄｙｎａｍｉｃ  ＳＲＳ  Ｍｕｌｔｉｐｌｅｘｉｎｇ」
【発明の概要】
【発明が解決しようとする課題】
【０００７】
したがって、キャリア・アグリゲーション・システムに適合された、有効なアップリンク・サウンディング・リファレンス信号ＳＲＳの動的トリガ解決策を提供することが望ましい。
【課題を解決するための手段】
【０００８】
従来技術に存在する問題に鑑みて、本発明の実施形態は、キャリア・アグリゲーション・システムの非周期的アップリンク・サウンディング・リファレンス信号を動的にトリガする方法および装置を提供する。
【０００９】
本発明の一実施形態によれば、キャリア・アグリゲーション・システムの非周期的アップリンク・サウンディング・リファレンス信号ＳＲＳを動的にトリガする方法が提供され、システム内のアップリンク・スケジュールは、ＳＲＳ要求フィールドを含み、方法は、
アップリンク・スケジュール内のＳＲＳ要求フィールドの異なる値とキャリア・アグリゲーション・パラメータおよび少なくとも１つのユーザ固有ＳＲＳパラメータの合同符号化との間のマッピング関係を事前に割り当てるステップであって、キャリア・アグリゲーション・パラメータは、１つまたは複数の搬送波成分を示す、ステップと、
キャリア・アグリゲーション・パラメータおよび少なくとも１つのユーザ固有ＳＲＳパラメータを判定するステップと、
事前に割り当てられたマッピング関係、判定されたキャリア・アグリゲーション・パラメータ、および少なくとも１つのユーザ固有ＳＲＳパラメータに基づいてアップリンク・スケジュール内のＳＲＳ要求フィールドに値を割り当てるステップと、
アップリンク・スケジュールを送信するステップと
を含む。
【００１０】
本発明の別の実施形態によれば、キャリア・アグリゲーション・システムの非周期的アップリンク・サウンディング・リファレンス信号ＳＲＳを送信する方法が提供され、システム内のアップリンク・スケジュールは、ＳＲＳ要求フィールドを含み、方法は、
アップリンク・スケジュール内のＳＲＳ要求フィールドの異なる値と、キャリア・アグリゲーション・パラメータおよび少なくとも１つのユーザ固有ＳＲＳパラメータの合同符号化との間のマッピング関係を事前に割り当てるステップであって、キャリア・アグリゲーション・パラメータは、１つまたは複数の搬送波成分を示す、ステップと、
アップリンク・スケジュールを受信するステップと、
ＳＲＳフィールドを送信する際に使用されるキャリア・アグリゲーション・パラメータおよび少なくとも１つのユーザ固有ＳＲＳパラメータを判定するために、事前に割り当てられたマッピング関係に基づいて、受信されたアップリンク・スケジュール内のＳＲＳ要求フィールドをデマッピングするステップと
を含む。
【００１１】
本発明のさらなる実施形態によれば、キャリア・アグリゲーション・システムの非周期的アップリンク・サウンディング・リファレンス信号ＳＲＳを動的にトリガする装置が提供され、システム内のアップリンク・スケジュールは、ＳＲＳ要求フィールドを含み、装置は、
アップリンク・スケジュール内のＳＲＳ要求フィールドの異なる値とキャリア・アグリゲーション・パラメータおよび少なくとも１つのユーザ固有ＳＲＳパラメータの合同符号化との間のマッピング関係を事前に割り当てるように構成された第１の事前割当て手段であって、キャリア・アグリゲーション・パラメータは、１つまたは複数の搬送波成分を示す、第１の事前割当て手段と、
キャリア・アグリゲーション・パラメータおよび少なくとも１つのユーザ固有ＳＲＳパラメータを判定するように構成された第１の判定手段と、
事前に割り当てられたマッピング関係、判定されたキャリア・アグリゲーション・パラメータ、および少なくとも１つのユーザ固有ＳＲＳパラメータに基づいてアップリンク・スケジュール内のＳＲＳ要求フィールドに値を割り当てるように構成された第１の値割当て手段と、
アップリンク・スケジュールを送信するように構成された第１の送信手段と
を備える。
【００１２】
本発明のさらなる実施形態によれば、キャリア・アグリゲーション・システムの非周期的アップリンク・サウンディング・リファレンス信号ＳＲＳを動的にトリガする方法が提供され、システム内のアップリンク・スケジュールは、１ビットＳＲＳ要求フィールドおよびキャリア・インジケータ（ｃａｒｒｉｅｒ  ｉｎｄｉｃａｔｏｒ）ＣＩＦフィールドを含み、方法は、
アップリンク・スケジュール内のＳＲＳ要求フィールドおよびＣＩＦフィールドの異なる値とキャリア・アグリゲーション・パラメータとの間のマッピング関係を事前に割り当てるステップであって、キャリア・アグリゲーション・パラメータは、１つまたは複数の搬送波成分を示す、ステップと、
キャリア・アグリゲーション・パラメータを判定するステップと、
事前に割り当てられたマッピング関係および判定されたキャリア・アグリゲーション・パラメータに基づいてアップリンク・スケジュール内のＳＲＳ要求フィールドに値を割り当てるステップと、
アップリンク・グラントを送信するステップと
を含む。
【００１３】
本発明の別の実施形態によれば、キャリア・アグリゲーション・システムの非周期的アップリンク・サウンディング・リファレンス信号ＳＲＳを送信する方法が提供され、システム内のアップリンク・スケジュールは、１ビットＳＲＳ要求フィールドおよびＣＩＦフィールドを含み、方法は、
アップリンク・スケジュール内のＳＲＳ要求フィールドおよびＣＩＦフィールドの異なる値とキャリア・アグリゲーション・パラメータとの間のマッピング関係を事前に割り当てるステップであって、キャリア・アグリゲーション・パラメータは、１つまたは複数の搬送波成分を示す、ステップと、
アップリンク・スケジュールを受信するステップと、
ＳＲＳを送信するために使用されるキャリア・アグリゲーション・パラメータを判定するために、事前に割り当てられたマッピング関係に基づいて、受信されたアップリンク・スケジュールをデマッピングするステップと
を含む。
【００１４】
本発明の別の実施形態によれば、キャリア・アグリゲーション・システムの非周期的アップリンク・サウンディング・リファレンス信号ＳＲＳを動的にトリガする装置が提供され、システム内のアップリンク・スケジュールは、１ビットＳＲＳ要求フィールドおよびＣＩＦフィールドを含み、装置は、
アップリンク・スケジュール内のＳＲＳ要求フィールドおよびＣＩＦフィールドの異なる値とキャリア・アグリゲーション・パラメータとの間のマッピング関係を事前に割り当てるように構成された第２の事前割当て手段であって、キャリア・アグリゲーション・パラメータは、１つまたは複数の搬送波成分を示す、第２の事前割当て手段と、
キャリア・アグリゲーション・パラメータを判定するように構成された第２の判定手段と、
事前に割り当てられたマッピング関係および判定されたキャリア・アグリゲーション・パラメータに基づいてアップリンク・スケジュール内のＳＲＳ要求フィールドに値を割り当てるように構成された第２の値割当て手段と、
アップリンク・スケジュールを送信するように構成された第２の送信手段と
を備える。
【００１５】
本発明の別の実施形態によれば、キャリア・アグリゲーション・システムの非周期的アップリンク・サウンディング・リファレンス信号ＳＲＳを送信する装置が提供され、システム内のアップリンク・スケジュールは、１ビットＳＲＳ要求フィールドおよびＣＩＦフィールドを含み、装置は、
アップリンク・スケジュール内のＳＲＳ要求フィールドおよびＣＩＦフィールドの異なる値とキャリア・アグリゲーション・パラメータとの間のマッピング関係を事前に割り当てるように構成された第４の事前割当て手段と、
アップリンク・スケジュールを受信するように構成された受信手段と、
ＳＲＳを送信するために使用されるキャリア・アグリゲーション・パラメータを判定するために、事前に割り当てられたマッピング関係に基づいて、受信されたアップリンク・スケジュールをデマッピングするように構成されたデマッピング手段と
を備える。
【００１６】
添付図面に関する非限定的な実施形態に関する次の詳細な説明を読むことにより、本発明の他の特徴、目的、および利益がより明白になるであろう。
【図面の簡単な説明】
【００１７】
【図１】本発明の一実施形態によるキャリア・アグリゲーション・システムの非周期的アップリンク・サウンディング・リファレンス信号ＳＲＳを動的にトリガする方法を示す流れ図である。
【図２】本発明の一実施形態によるキャリア・アグリゲーション・システムの非周期的アップリンク・サウンディング・リファレンス信号ＳＲＳを送信する方法を示す流れ図である。
【図３】本発明の一実施形態によるキャリア・アグリゲーション・システムの非周期的アップリンク・サウンディング・リファレンス信号ＳＲＳを動的にトリガする装置を示すブロック図である。
【図４】本発明の一実施形態によるキャリア・アグリゲーション・システムの非周期的アップリンク・サウンディング・リファレンス信号ＳＲＳを送信する装置を示すブロック図である。
【図５】本発明の別の実施形態によるキャリア・アグリゲーション・システムの非周期的アップリンク・サウンディング・リファレンス信号ＳＲＳを動的にトリガする方法を示す流れ図である。
【図６】本発明のさらなる実施形態によるキャリア・アグリゲーション・システムの非周期的アップリンク・サウンディング・リファレンス信号ＳＲＳを送信する方法を示す流れ図である。
【図７】本発明の別の実施形態によるキャリア・アグリゲーション・システムの非周期的アップリンク・サウンディング・リファレンス信号ＳＲＳを動的にトリガする装置を示すブロック図である。
【図８】本発明の別の実施形態によるキャリア・アグリゲーション・システムの非周期的アップリンク・サウンディング・リファレンス信号ＳＲＳを送信する装置を示すブロック図である。
【発明を実施するための形態】
【００１８】
以下では、本発明による特定の実施形態を、添付図面を参照して説明する。
【００１９】
本発明の実施形態は、ＲＡＮ１−＃６２ｂｉｓ会議での非周期的ＳＲＳトリガに関する未決定の問題を解決する。
【００２０】
アップリンク・スケジュールを使用することによる非周期的ＳＲＳトリガが、ＲＡＮ１−＃６２ｂｉｓ会議で提案された。アップリンク・スケジュールは、ダウンリンク制御情報（ＤＣＩ）フォーマット４またはＤＣＩフォーマット０を使用することができる。アップリンク・スケジュールがＤＣＩフォーマット４を使用する時に、２つまたは３つの新しいビットのＳＲＳ要求フィールドが、非周期的ＳＲＳ動的トリガに使用されることが合意された。２つまたは３つの新しいビットの１つの状態が、非周期的ＳＲＳをアクティブ化しないことを示す。２つまたは３つの新しいビットは、そうでない場合に、それぞれＲＲＣ構成の３つまたは７つのグループの非周期的ＳＲＳ送信パラメータを示すことができる。この会議では、アップリンク・スケジュールがＤＣＩフォーマット０を使用する時に、１つの新しいビット（ＲＲＣによって構成される）ＳＲＳ要求フィールドが、非周期的ＳＲＳをアクティブ化することを示すことも合意された。ＵＥ共通検索空間内で、非周期的ＳＲＳのアクティブ化は、サポートされない。
【００２１】
ＲＡＮ１−＃６２会議では、セル固有ＳＲＳ構成パラメータが、周期的サウンディングだけではなく、非周期的サウンディングについても適用されることも、合意された。しかし、ＵＥ固有ＳＲＳ構成パラメータ（ＳＲＳ帯域幅、ＳＲＳ周波数ドメイン開始位置、ＳＲＳ送信コム・オフセット、およびＳＲＳ循環シフトなど）について、周期的ＳＲＳおよび非周期的ＳＲＳが、異なる場合がある。
【００２２】
しかし、その会議では、非周期的ＳＲＳのさまざまなパラメータを構成するためにこれらの制限されたビットをどのように使用すべきかはまだ提案されず、さらに、キャリア・アグリゲーション・システムの特別事項は考慮されなかった。
【００２３】
上のプロビジョニングに基づいて、本発明の実施形態は、ＤＣＩフォーマット４の２つまたは３つの新しいビットに基づくキャリア・アグリゲーション・システムでの動的非周期的ＳＲＳトリガの穏当で効率的なパラメータのセットを構成する解決策を提案する。本発明は、さらに、ＤＣＩフォーマット０の１つの新しいビットおよびキャリア・インジケータ（ＣＩＦ）に基づいて非周期的ＳＲＳパラメータを動的に構成する解決策を提供する。本発明は、主に、ユーザ固有ＳＲＳパラメータを考慮する。単純さのために、そうではないと示されない限り、ＳＲＳパラメータは、ユーザ固有ＳＲＳパラメータを指す。
【００２４】
本発明の実施形態の解決策は、非周期的ＳＲＳ送信の柔軟性と制限されたＬ１／Ｌ２制御シグナリングとの間のトレードオフを達成することができる。
【００２５】
本発明の実施形態の基本概念は、ＳＲＳ構成の柔軟性を提供するためにアップリンク・スケジュール内の制限されたビットのＳＲＳ要求フィールドを使用することによって、ユーザ固有非周期的ＳＲＳパラメータの主要パラメータまたはその組合せを構成することである。他のユーザ固有非周期的パラメータは、固定された値を事前に割り当てられ、またはＲＲＣシグナリングによって各ＣＣに関して同一にまたは異なって構成され、またはアップリンク・スケジュール内の他の制御フィールドの未使用の予約する状態を借用することによって構成されるものとすることができる。しかし、これらの借用される予約する状態が、従来のＵＬ  ＣＨデータ送信に影響してはならない。アップリンク・スケジュールは、Ｌ１／Ｌ２制御シグナリングなので、その実行速度は、ＲＲＣシグナリングの実行時間よりはるかに速い１ｍｓのレベルで高速である。したがって、ＳＲＳパラメータをすばやく調整することができ、ＳＲＳ送信柔軟性を改善することができる。
【００２６】
本発明で考慮に入れられる主要なＳＲＳパラメータは、どのＵＬ  ＣＣの非周期的ＳＲＳキャリア・アグリゲーション（ＣＡ）パラメータをトリガに示すことを含む。本発明で考慮に入れられる主要なＳＲＳパラメータは、さらに、ＳＲＳタイム・インターバル・パラメータ、ＳＲＳ送信コム・オフセット・パラメータ、ＳＲＳ周波数ドメイン・ホッピング・スイッチ、循環シフト・インデックス・オフセット・パラメータなどのパラメータのうちの少なくとも１つを含むことができる。
【００２７】
ＳＲＳタイム・インターバル、ＳＲＳ送信コム・オフセット、および循環シフト・インデックスの意味は、Ｒｅｌ−８の同一のパラメータの意味と同一であり、これは、表１を参照して、本明細書でさらには示さない。
【００２８】
【表１】
0005755335.tif 000002
【００２９】
ＳＲＳ周波数ドメイン・ホッピング・スイッチは、ＳＲＳが周波数ドメイン全体を介して送信されるのか、ホッピングによって送信されるのかを示す。これを、ＳＲＳ周波数ドメイン・ホッピング・サイズのパラメータと組み合わせて使用することができる。
【００３０】
ＳＲＳ循環シフト・インデックス・オフセット量（ＣＳｏｆｆｓｅｔ）は、循環シフト・インデックスのオフセット量を示す。
【００３１】
以下では、ＤＣＩフォーマット４および０での制限されたビットを使用して非周期的ＳＲＳパラメータを構成する解決策を、本明細書で以下で説明する。
【００３２】
ＤＣＩフォーマット４の２つの新しいビットが、非周期的ＳＲＳトリガに使用される
このシナリオでは、２つのビットが、４つの状態を示すことができる。ＳＲＳトリガなし（すなわち、状態０）に加えて、ＳＲＳトリガを有する３つの状態だけを構成することができる。本発明の実施形態は、ＣＡおよび他のパラメータのいくつかの特定の組合せの合同符号化を使用することによる、２ビットＳＲＳ要求フィールドへの値の割当てを提案する。以下では、いくつかの組合せの例を提供する。
【００３３】
解決策１  ＣＡ＋ＳＲＳタイム・インターバル
たとえば、合同符号化のマッピング関係を、下のように指定することができる。
−  状態０  ＳＲＳトリガなし
−  状態１  １つのＵＬ  ＣＣ上でワンショットＳＲＳをトリガする
−  状態２  １つのＵＬ  ＣＣ上でマルチショットＳＲＳをトリガする
−  状態３  構成されたＵＬ  ＣＣのすべてまたはサブセット上でワンショットＳＲＳをトリガする
【００３４】
ここで、マルチショットＳＲＳのパラメータを、たとえば固定された値とすることができる事前定義とするか、あるいは、ＲＲＣシグナリングによって特に構成することができる。
【００３５】
この解決策の利益は、マルチショットＳＲＳトリガをサポートできることである。
【００３６】
解決策２  ＣＡ＋ＳＲＳ送信コム・オフセット量
たとえば、合同符号化のマッピング関係を、下のように指定することができる。
−  状態０  ＳＲＳトリガなし
−  状態１  １つのＵＬ  ＣＣ上で１つのコム・オフセット量と共に非周期的ＳＲＳの送信をトリガする
−  状態２  １つのＵＬ  ＣＣ上で別のコム・オフセット量と共に非周期的ＳＲＳの送信をトリガする
−  状態３  構成されたＵＬ  ＣＣのすべてまたはサブセット上で１つのコム・オフセット量または別のコム・オフセット量と共に非周期的ＳＲＳの送信をトリガする
【００３７】
ＳＲＳ送信コム・オフセット量が、それぞれ奇数コムおよび偶数コムを表す２つの値を有することができることを理解されたい。さらに、１つのコム・オフセット量を、事前に決定するかＲＲＣシグナリングによって構成することができる。
【００３８】
ＲＲＣシグナリングによって構成される場合に、合同符号化のマッピング関係を、下のように指定することができる。
たとえば、合同符号化のマッピング関係を、下のように指定することができる。
−  状態０  ＳＲＳトリガなし
−  状態１  １つのＵＬ  ＣＣ上でＲＲＣシグナリングによって構成されるコムと共に非周期的ＳＲＳをトリガする
−  状態２  １つのＵＬ  ＣＣ上でＲＲＣシグナリングによって構成されるコム＋１と共に非周期的ＳＲＳをトリガする
−  状態３  構成されたＵＬ  ＣＣのすべてまたはサブセット上でＲＲＣシグナリングによって構成されるコムと共に非周期的ＳＲＳをトリガする
【００３９】
ＲＲＣシグナリングによって構成されるコムが奇数コム／偶数コムである時に、ＲＲＣシグナリングによって構成されるコム＋１は、偶数コム／奇数コムを表す。
【００４０】
この解決策の利益は、異なるユーザ（またはＵＬ  ＣＣ）上のＳＲＳが衝突しないように簡単に構成されることである。
【００４１】
解決策３  ＣＡ＋ＳＲＳ周波数ドメイン・ホッピング・スイッチ
合同符号化のマッピング関係を、下のように指定することができる。
−  状態０  ＳＲＳトリガなし
−  状態１  １つのＵＬ  ＣＣ上で周波数ドメイン・ホッピングを伴って非周期的ＳＲＳをトリガする
−  状態２  １つのＵＬ  ＣＣ上で周波数ドメイン・ホッピングを伴わずに非周期的ＳＲＳをトリガする
−  状態３  構成されたＵＬ  ＣＣのすべてまたはサブセット上で周波数ドメイン・ホッピングを伴って／伴わずに非周期的ＳＲＳをトリガする
【００４２】
解決策４  ＣＡ＋ＳＲＳ循環シフト（ＣＳ）
合同符号化のマッピング関係を、下のように指定することができる。
−  状態０  ＳＲＳトリガなし
−  状態１  １つのＵＬ  ＣＣ上でＲＲＣ構成されたＣＳインデックスごとにオフセット０であるＣＳと共に非周期的ＳＲＳをトリガする
−  状態２  １つのＵＬ  ＣＣ上でＲＲＣ構成されたＣＳインデックスごとにオフセット＋１であるＣＳと共に非周期的ＳＲＳをトリガする
−  状態３  構成されたＵＬ  ＣＣのすべてまたはサブセット上でＲＲＣ構成されたＣＳインデックスごとにＣＳと共に非周期的ＳＲＳをトリガする
【００４３】
上のマッピング関係で、ＣＳインデックス・オフセット量を事前に割り当て、たとえば固定値４とすることができ、あるいは、ＲＲＣシグナリングによって各ＵＬ  ＣＣに関して同一のまたは異なるオフセット量を用いて構成することができることを理解されたい。
【００４４】
代替案では、上のマッピング関係の各状態に対応するＣＳインデックスを、ＲＲＣシグナリングによって構成するのではなく、固定値とすることができる。たとえば、マッピング関係を、下のように指定することができる。
−  状態０  ＳＲＳトリガなし
−  状態１  １つのＵＬ  ＣＣ上で０であるＣＳインデックスと共に非周期的ＳＲＳをトリガする
−  状態２  １つのＵＬ  ＣＣ上で４であるＣＳインデックスと共に非周期的ＳＲＳをトリガする
−  状態３  構成されたＵＬ  ＣＣのすべてまたはサブセット上で０であるＣＳインデックスと共に非周期的ＳＲＳをトリガする
【００４５】
解決策４の利益は、異なるユーザ（またはＵＬ  ＣＣ）上のＳＲＳが異なるＣＳを有し、したがってよい直交性があり、衝突を被らないように、簡単に構成できることである。
【００４６】
上では、ＣＡと他のパラメータとの間の４種類の組合せならびにいくつかの例示的なマッピング関係を指定したが、上の教示に基づいて、ＣＡと他のパラメータとの間の他の組合せならびに他のマッピング関係を企図することもできることを理解されたい。
【００４７】
ＤＣＩフォーマット４の３つの新しいビットが、非周期的ＳＲＳトリガに使用される
このシナリオでは、３つのビットが、８つの状態を示すことができる。ＳＲＳトリガなし（すなわち、状態０）に加えて、ＳＲＳトリガを有する７つの状態だけを構成することができる。本発明の実施形態は、ＣＡおよび他のパラメータのいくつかの特定の組合せの合同符号化を使用することによる、３ビットＳＲＳ要求フィールドへの値の割当てを提案する。以下では、いくつかの組合せの例を提供する。
【００４８】
解決策５  ＣＡ＋ＳＲＳタイム・インターバル＋ＳＲＳ送信コム・オフセット量
合同符号化のマッピング関係を、下のように指定することができる。
−  状態０  ＳＲＳトリガなし
−  状態１  １つのＵＬ  ＣＣ上で１つのコム・オフセット量と共にワンショットＳＲＳの送信をトリガする
−  状態２  １つのＵＬ  ＣＣ上で別のコム・オフセット量と共にワンショットＳＲＳの送信をトリガする
−  状態３  １つのＵＬ  ＣＣ上で１つのコム・オフセット量と共にマルチショットＳＲＳの送信をトリガする
−  状態４  １つのＵＬ  ＣＣ上で別のコム・オフセット量と共にマルチショットＳＲＳの送信をトリガする
−  状態５  構成されたＵＬ  ＣＣのすべてまたはサブセット上でワンショットＳＲＳをトリガし、コム・オフセット量は、ＲＲＣシグナリングによって構成された同一の量に従う
−  状態６  構成されたＵＬ  ＣＣのすべてまたはサブセット上でワンショットＳＲＳをトリガし、コム・オフセット量は、それぞれＲＲＣシグナリングによって構成された異なる量に従う
−  状態７  構成されたＵＬ  ＣＣのすべてまたはサブセット上でマルチショットＳＲＳをトリガし、コム・オフセット量は、それぞれＲＲＣシグナリングによって構成された同一の量または異なる量に従う
【００４９】
マルチショットＳＲＳのパラメータを事前に定義することができ、たとえば、これらを固定値とするか、ＲＲＣシグナリングを介して特に構成することができることを理解されたい。
【００５０】
上のマッピング関係では、それぞれの状態によって示されるＳＲＳ送信コム・オフセット量を、所定とするか、ＲＲＣシグナリングによって構成することができる。代替案では、上のマッピング関係の１つのコム・オフセット量を、奇数コムとして事前に割り当てることができ、他方は、偶数コムとして事前に割り当てられる。あるいは、これらのＳＲＳ送信コム・オフセット量を、奇数コムまたは偶数コムとして固定するのではなく、ＲＲＣシグナリングによって構成することができる。たとえば、上のマッピング関係の１つのコム・オフセット量を、ＲＲＣによって構成されるコムと置換することができ、他方のコム・オフセット量は、ＲＲＣによって構成されるコムとはそれ相応に異なる。
【００５１】
解決策６  ＣＡ＋ＳＲＳ循環シフト
合同符号化のマッピング関係を、下のように指定することができる。
−  状態０  ＳＲＳトリガなし
−  状態１  １つのＵＬ  ＣＣ上でＲＲＣ構成されたＣＳインデックスごとのＣＳと共に非周期的ＳＲＳをトリガする
−  状態２  １つのＵＬ  ＣＣ上でＲＲＣ構成されたＣＳインデックスごとのオフセット＋２であるＣＳと共に非周期的ＳＲＳをトリガする
−  状態３  １つのＵＬ  ＣＣ上でＲＲＣ構成されたＣＳインデックスごとのオフセット＋４であるＣＳと共に非周期的ＳＲＳをトリガする
−  状態４  １つのＵＬ  ＣＣ上でＲＲＣ構成されたＣＳインデックスごとのオフセット＋６であるＣＳと共に非周期的ＳＲＳをトリガする
−  状態５  構成されたＵＬ  ＣＣのすべてまたはサブセット上でＲＲＣ構成されたＣＳインデックスごとのオフセット＋０であるＣＳと共に非周期的ＳＲＳをトリガする
−  状態６  構成されたＵＬ  ＣＣのすべてまたはサブセット上でＲＲＣ構成されたＣＳインデックスごとのオフセット＋２であるＣＳと共に非周期的ＳＲＳをトリガする
−  状態７  構成されたＵＬ  ＣＣのすべてまたはサブセット上でＲＲＣ構成されたＣＳインデックスごとのオフセット＋４であるＣＳと共に非周期的ＳＲＳをトリガする
【００５２】
代替案では、上のマッピング関係で、ＲＲＣ構成されたＣＳインデックスを、所定の固定された値、たとえばＣＳインデックス０によって置換することができる。
【００５３】
解決策７  ＣＡ＋ＳＲＳ循環シフト＋ＳＲＳ送信コム・オフセット
合同符号化のマッピング関係を、下のように指定することができる。
−  状態０  ＳＲＳトリガなし
−  状態１  １つのＵＬ  ＣＣ上でＲＲＣ構成されたＣＳインデックスごとのＣＳおよび１つのコム・オフセット量と共に非周期的ＳＲＳの送信をトリガする
−  状態２  １つのＵＬ  ＣＣ上でＲＲＣ構成されたＣＳインデックスごとの１つのＣＳオフセット量だけオフセットされたＣＳおよび１つのコム・オフセット量と共に非周期的ＳＲＳの送信をトリガする
−  状態３  １つのＵＬ  ＣＣ上でＲＲＣ構成されたＣＳインデックスごとのＣＳおよび１つのコム・オフセット量とは異なる別のコム・オフセット量と共に非周期的ＳＲＳの送信をトリガする
−  状態４  １つのＵＬ  ＣＣ上でＲＲＣ構成されたＣＳインデックスごとの１つのＣＳオフセット量だけオフセットされたＣＳおよび別のコム・オフセット量と共に非周期的ＳＲＳの送信をトリガする
−  状態５  構成されたＵＬ  ＣＣのすべてまたはサブセット上でＲＲＣ構成されたＣＳインデックスごとのＣＳおよび１つのコム・オフセット量と共に非周期的ＳＲＳの送信をトリガする
−  状態６  構成されたＵＬ  ＣＣのすべてまたはサブセット上でＲＲＣ構成されたＣＳインデックスごとの１つのＣＳオフセット量だけオフセットされたＣＳおよび１つのコム送信量と共に非周期的ＳＲＳの送信をトリガする
−  状態７  構成されたＵＬ  ＣＣのすべてまたはサブセット上でＲＲＣ構成されたＣＳインデックスごとの１つのＣＳオフセット量だけオフセットされたＣＳおよび別のコム送信量と共に非周期的ＳＲＳの送信をトリガする
【００５４】
上では、ＣＡと他のパラメータとの間の３種類の組合せならびにいくつかの例示的なマッピング関係を指定したが、上の教示に基づいて、ＣＡと他のパラメータとの間の他の組合せならびに他のマッピング関係を企図することもできることを理解されたい。
【００５５】
ＤＣＩフォーマット０を使用することによって非周期的ＳＲＳトリガを実行する構成
本発明の実施形態は、非周期的ＳＲＳをアクティブ化すべきかどうかを示すための、１つの新しいビットのＳＲＳ要求フィールドの使用を提案する。さらに、本発明の実施形態では、ＤＣＩフォーマット０のＣＩＦフィールドに値が割り当てられない場合に、これが、複数のＵＬ  ＣＣ上で非周期的ＳＲＳのセットをトリガすることを示す。複数のＵＬ  ＣＣ上で非周期的ＳＲＳのセットをトリガする時には、正確にどのＵＬ  ＣＣの非周期的ＳＲＳがトリガされるのかに関して、これを、ＤＣＩフォーマット０の他の制御フィールドの予約する状態によって示すか、ＲＲＣシグナリングによって示すことができる。ＤＣＩフォーマット０のＣＩＦが値を割り当てられる場合には、これは、そのＣＩＦによって割り当てられるＵＬ  ＣＣ上で非周期的ＳＲＳをトリガすることだけを示すことができる。
【００５６】
上で説明したものは、本発明による、アップリンク・スケジュール内で制限されたビットのＳＲＳ要求フィールドを使用することによって、ユーザ固有非周期的ＳＲＳパラメータの主要なパラメータまたはその組合せを構成する複数の解決策である。ＲＲＣ構成されたＳＲＳパラメータと比較して、本発明の解決策は、より柔軟である。さらに、本発明の解決策は、キャリア・アグリゲーションのシナリオを考慮に入れ、ここで、少なくとも１つの状態が、ＵＬスケジュールに関して１つのＵＬ  ＣＣ（すなわち、ＣＩＦによって指定されたＵＩ  ＣＣ）上での非周期的ＳＲＳ送信のトリガを示す。さらに、別の状態が、すべての構成されたＵＬ  ＣＣまたはＲＲＣシグナリングによって構成されたＵＩ  ＣＣのサブセットに関する非周期的ＳＲＳ送信のトリガを示す。これは、優先順位付けされたスケジュール・リソースとＳＲＳパラメータ構成との間の柔軟性を達成する。
【００５７】
さらに、本発明の複数の解決策では、キャリア・アグリゲーション・パラメータを考慮するほかに、さらに、優先順位において、アップリンク・スケジュール内のＳＲＳ送信コム・オフセット量および／またはＳＲＳ循環シフト・パラメータを考慮する。したがって、ＳＲＳ送信に使用されるコムおよび循環シフト・インデックスを、必要に応じてタイムリーに変更することができ、これによって、異なるユーザ間の衝突を回避する。
【００５８】
以下では、キャリア・アグリゲーション・システムの非周期的アップリンク・サウンディング・リファレンス信号ＳＲＳを動的にトリガする方法、キャリア・アグリゲーション・システムの非周期的アップリンク・サウンディング・リファレンス信号ＳＲＳを送信する方法、および対応する装置を、次の図面を参照して詳細に説明する。
【００５９】
図１に、本発明の実施形態によるキャリア・アグリゲーション・システムの非周期的アップリンク・サウンディング・リファレンス信号ＳＲＳを動的にトリガする方法の流れ図を示す。このシステム内のアップリンク・スケジュールは、ＳＲＳ要求フィールドを含む。図１に示されているように、ステップ１０１では、アップリンク・スケジュール内のＳＲＳ要求フィールドの異なる値と、キャリア・アグリゲーション・パラメータおよび少なくとも１つのユーザ固有ＳＲＳパラメータの合同符号化との間のマッピング関係を事前に割り当てる。ステップ１０２では、キャリア・アグリゲーション・パラメータおよび少なくとも１つのユーザ固有ＳＲＳパラメータを判定する。ステップ１０３では、事前に割り当てられたマッピング関係、判定されたキャリア・アグリゲーション・パラメータ、および少なくとも１つのユーザ固有ＳＲＳパラメータに基づいて、アップリンク・スケジュール内のＳＲＳ要求フィールドに値を割り当てる。ステップ１０４では、アップリンク・スケジュールを送信する。
【００６０】
本発明の一実施形態によれば、ＳＲＳ要求フィールドは、２ビットまたは３ビットを有する。
【００６１】
本発明の一実施形態によれば、少なくとも１つのユーザ固有ＳＲＳパラメータは、次のパラメータのうちの１つまたは２つである。
ＳＲＳタイム・インターバル、ＳＲＳ送信コム・オフセット量、ＳＲＳ周波数ドメイン・ホッピング・スイッチ、循環シフト・インデックス・オフセット量。
【００６２】
本発明の一実施形態によれば、少なくとも１つのユーザ固有ＳＲＳパラメータは、ＳＲＳタイム・インターバルであり、ＳＲＳ要求フィールドは、２ビットを有し、ＳＲＳ要求フィールドの４つの異なる値は、それぞれ次のようにマッピングされる。
ＳＲＳトリガなし
１つのＵＬ  ＣＣ上でワンショットＳＲＳをトリガする
１つのＵＬ  ＣＣ上でマルチショットＳＲＳをトリガする
構成されたＵＬ  ＣＣのすべてまたはサブセット上でワンショットＳＲＳをトリガする
【００６３】
代替案では、ＳＲＳ要求フィールドの４つの異なる値を、次としてマッピングすることもできる。
ＳＲＳトリガなし
１つのＵＬ  ＣＣ上でワンショットＳＲＳをトリガする
１つのＵＬ  ＣＣ上でマルチショットＳＲＳをトリガする
構成されたＵＬ  ＣＣのすべてまたはサブセット上でマルチショットＳＲＳをトリガする
【００６４】
本発明の一実施形態によれば、少なくとも１つのユーザ固有ＳＲＳパラメータは、ＳＲＳ送信コム・オフセットであり、ＳＲＳ要求フィールドは、２ビットを有し、ＳＲＳ要求フィールドの４つの異なる値は、それぞれ次のようにマッピングされる。
ＳＲＳトリガなし
１つのＵＬ  ＣＣ上で１つのコム・オフセット量と共に非周期的ＳＲＳの送信をトリガする
１つのＵＬ  ＣＣ上で１つのコム・オフセット量とは異なる別のコム・オフセット量と共に非周期的ＳＲＳの送信をトリガする
構成された複数のＵＬ  ＣＣのすべてまたはサブセット上で１つのコム・オフセット量と共に非周期的ＳＲＳの送信をトリガする
【００６５】
代替案では、ＳＲＳ要求フィールドの４つの異なる値は、次としてもマッピングされる。
ＳＲＳトリガなし
１つのＵＬ  ＣＣ上で１つのコム・オフセット量と共に非周期的ＳＲＳの送信をトリガする
１つのＵＬ  ＣＣ上で１つのコム・オフセット量とは異なる別のコム・オフセット量と共に非周期的ＳＲＳの送信をトリガする
構成された複数のＵＬ  ＣＣのすべてまたはサブセット上で別のコム・オフセット量と共に非周期的ＳＲＳの送信をトリガする
【００６６】
ここで、１つのコム・オフセット量を、事前に決定するか、ＲＲＣシグナリングによって構成することができる。
【００６７】
本発明の一実施形態によれば、少なくとも１つのユーザ固有ＳＲＳパラメータは、ＳＲＳ周波数ドメイン・ホッピング・スイッチであり、ＳＲＳ要求フィールドは、２ビットを有し、ＳＲＳ要求フィールドの４つの異なる値は、それぞれ次のようにマッピングされる。
ＳＲＳトリガなし
１つのＵＬ  ＣＣ上で周波数ドメイン・ホッピングを伴って非周期的ＳＲＳをトリガする
１つのＵＬ  ＣＣ上で周波数ドメイン・ホッピングを伴わずに非周期的ＳＲＳをトリガする
構成されたＵＬ  ＣＣのすべてまたはサブセット上で周波数ドメイン・ホッピングを伴って／伴わずに非周期的ＳＲＳをトリガする
【００６８】
本発明の一実施形態によれば、少なくとも１つのユーザ固有ＳＲＳパラメータは、ＳＲＳ循環シフト・インデックスＣＳオフセット量であり、ＳＲＳ要求フィールドは２ビットを有し、ＳＲＳ要求フィールドの４つの異なる値は、それぞれ次のようにマッピングされる。
ＳＲＳトリガなし
１つのＵＬ  ＣＣ上でＲＲＣ構成されたＣＳインデックスごとにＣＳと共に非周期的ＳＲＳをトリガする
１つのＵＬ  ＣＣ上でＲＲＣ構成されたＣＳインデックスごとに１つのＣＳオフセット量だけオフセットされたＣＳと共に非周期的ＳＲＳをトリガする
構成されたＵＬ  ＣＣのすべてまたはサブセット上でＲＲＣ構成されたＣＳインデックスごとにＣＳと共に非周期的ＳＲＳをトリガする
【００６９】
代替案では、ＳＲＳ要求フィールドの４つの異なる値を、次としてマッピングすることもできる。
ＳＲＳトリガなし
１つのＵＬ  ＣＣ上でＲＲＣ構成されたＣＳインデックスごとにＣＳと共に非周期的ＳＲＳをトリガする
１つのＵＬ  ＣＣ上でＲＲＣ構成されたＣＳインデックスごとに１つのＣＳオフセット量だけオフセットされたＣＳと共に非周期的ＳＲＳをトリガする
構成された複数のＵＬ  ＣＣのすべてまたはサブセット上でＲＲＣ構成されたＣＳインデックスごとに１つのＣＳオフセット量だけオフセットされたＣＳと共に非周期的ＳＲＳをトリガする
【００７０】
本発明の一実施形態によれば、少なくとも１つのユーザ固有ＳＲＳパラメータは、ＳＲＳタイム・インターバルおよびＳＲＳ送信コム・オフセットであり、ＳＲＳ要求フィールドは、３ビットを有し、ＳＲＳ要求フィールドの８つの異なる値は、それぞれ次のようにマッピングされる。
ＳＲＳトリガなし
１つのＵＬ  ＣＣ上で１つのコム・オフセット量と共にワンショットＳＲＳの送信をトリガする
１つのＵＬ  ＣＣ上で１つのコム・オフセット量とは異なる別のコム・オフセット量と共にワンショットＳＲＳの送信をトリガする
１つのＵＬ  ＣＣ上で１つのコム・オフセット量と共にマルチショットＳＲＳの送信をトリガする
１つのＵＬ  ＣＣ上で別のコム・オフセット量と共にマルチショットＳＲＳの送信をトリガする
構成された複数のＵＬ  ＣＣのすべてまたはサブセット上でワンショットＳＲＳをトリガし、それぞれのＵＬ  ＣＣに対応するコム・オフセット量は、ＲＲＣシグナリングによって構成された同一の量に従う
構成された複数のＵＬ  ＣＣのすべてまたはサブセット上でワンショットＳＲＳをトリガし、それぞれのＵＬ  ＣＣに対応するコム・オフセット量は、それぞれＲＲＣシグナリングによって構成された異なる量に従う
構成された複数のＵＬ  ＣＣのすべてまたはサブセット上でマルチショットＳＲＳをトリガし、それぞれのＵＬ  ＣＣに対応するコム・オフセット量は、ＲＲＣシグナリングによって構成された同一の量／異なる量に従う
【００７１】
本発明の一実施形態によれば、少なくとも１つのユーザ固有ＳＲＳパラメータは、ＳＲＳ循環シフト・インデックスＣＳオフセット量であり、ＳＲＳ要求フィールドは、３ビットを有し、ＳＲＳ要求フィールドの８つの異なる値は、それぞれ次のようにマッピングされる。
ＳＲＳトリガなし
１つのＵＬ  ＣＣ上でＲＲＣ構成されたＣＳインデックスごとにオフセット０であるＣＳと共に非周期的ＳＲＳをトリガする
１つのＵＬ  ＣＣ上でＲＲＣ構成されたＣＳインデックスごとにオフセット＋２であるＣＳと共に非周期的ＳＲＳをトリガする
１つのＵＬ  ＣＣ上でＲＲＣ構成されたＣＳインデックスごとにオフセット＋４であるＣＳと共に非周期的ＳＲＳをトリガする
１つのＵＬ  ＣＣ上でＲＲＣ構成されたＣＳインデックスごとにオフセット＋６であるＣＳと共に非周期的ＳＲＳをトリガする
構成されたＵＬ  ＣＣのすべてまたはサブセット上でＲＲＣ構成されたＣＳインデックスごとにオフセット０であるＣＳと共に非周期的ＳＲＳをトリガする
構成されたＵＬ  ＣＣのすべてまたはサブセット上でＲＲＣ構成されたＣＳインデックスごとにオフセット２であるＣＳと共に周期的ＳＲＳをトリガする
構成されたＵＬ  ＣＣのすべてまたはサブセット上でＲＲＣ構成されたＣＳインデックスごとにオフセット４であるＣＳと共に周期的ＳＲＳをトリガする
【００７２】
本発明の一実施形態によれば、少なくとも１つのユーザ固有ＳＲＳパラメータは、ＳＲＳ循環シフト・インデックスＣＳオフセット量およびＳＲＳ送信コム・オフセット量であり、ＳＲＳ要求フィールドは、３ビットを有し、ＳＲＳ要求フィールドの８つの異なる値は、それぞれ次のようにマッピングされる。
ＳＲＳトリガなし
１つのＵＬ  ＣＣ上でＲＲＣ構成されたＣＳインデックスごとのＣＳおよび１つのコム・オフセット量と共に非周期的ＳＲＳの送信をトリガする
１つのＵＬ  ＣＣ上でＲＲＣ構成されたＣＳインデックスごとに１つのＣＳオフセット量だけオフセットされたＣＳおよび１つのコム・オフセット量と共に非周期的ＳＲＳの送信をトリガする
１つのＵＬ  ＣＣ上でＲＲＣ構成されたＣＳインデックスごとのＣＳおよび１つのコム・オフセット量とは異なる別のコム・オフセット量と共に非周期的ＳＲＳの送信をトリガする
１つのＵＬ  ＣＣ上でＲＲＣ構成されたＣＳインデックスごとに１つのＣＳオフセット量だけオフセットされたＣＳおよび別のコム・オフセット量と共に非周期的ＳＲＳの送信をトリガする
構成された複数のＵＬ  ＣＣのすべてまたはサブセット上でＲＲＣ構成されたＣＳインデックスごとのＣＳおよび１つのコム・オフセット量と共に非周期的ＳＲＳの送信をトリガする
構成されたＵＬ  ＣＣのすべてまたはサブセット上でＲＲＣ構成されたＣＳインデックスごとに１つのＣＳオフセット量だけオフセットされたＣＳおよび１つのコム・オフセット量と共に非周期的ＳＲＳの送信をトリガする
構成されたＵＬ  ＣＣのすべてまたはサブセット上でＲＲＣ構成されたＣＳインデックスごとに１つのＣＳオフセット量だけオフセットされたＣＳおよび別のコム・オフセット量と共に非周期的ＳＲＳの送信をトリガする
【００７３】
図２に、本発明の一実施形態によるキャリア・アグリゲーション・システムの非周期的アップリンク・サウンディング・リファレンス信号ＳＲＳを送信する方法の流れ図を示す。このシステム内のアップリンク・スケジュールは、ＳＲＳ要求フィールドを含む。図２に示されているように、ステップ２０１では、アップリンク・スケジュール内のＳＲＳ要求フィールドの異なる値と、キャリア・アグリゲーション・パラメータおよび少なくとも１つのユーザ固有ＳＲＳパラメータの合同符号化との間のマッピング関係を事前に割り当てる。ステップ２０２では、アップリンク・スケジュールを受信する。ステップ２０３では、ＳＲＳの送信で使用されるキャリア・アグリゲーション・パラメータおよび少なくとも１つのユーザ固有ＳＲＳパラメータを判定するために、受信されたアップリンク・スケジュール内のＳＲＳ要求フィールドを、事前に割り当てられたマッピング関係に基づいてデマッピングする。
【００７４】
本発明の一実施形態によれば、ＳＲＳ要求フィールドは、２ビットまたは３ビットを有する。
【００７５】
本発明の一実施形態によれば、少なくとも１つのユーザ固有ＳＲＳパラメータは、次のパラメータのうちの１つまたは２つを含む。
ＳＲＳタイム・インターバル、ＳＲＳ送信コム・オフセット量、ＳＲＳ周波数ドメイン・ホッピング・スイッチ、循環シフト・インデックス・オフセット量
【００７６】
異なるパラメータの組合せと図２の合同符号化との間のマッピング関係は、図１に示された異なるパラメータの組合せと合同符号化との間のマッピング関係と同一である。単純さのために、これを本明細書で詳細に説明することはしない。
【００７７】
図３に、本発明の一実施形態によるキャリア・アグリゲーション・システムの非周期的アップリンク・サウンディング・リファレンス信号ＳＲＳを動的にトリガする装置３００のブロック図を示す。装置３００は、基地局、基地局内の装置、または基地局に接続された装置とすることができる。たとえば、装置３００を、ＬＴＥシステム内のｅＮＢとすることができる。システム内のアップリンク・スケジュールは、ＳＲＳ要求フィールドを含む。図３に示されているように、装置３００は、第１の事前割当て手段３０１、第１の判定手段３０２、第１の値割当て手段３０３、および第１の送信手段３０４を含む。第１の事前割当て手段３０１は、アップリンク・スケジュール内のＳＲＳ要求フィールドの異なる値とキャリア・アグリゲーション・パラメータおよび少なくとも１つのユーザ固有ＳＲＳパラメータの合同符号化との間のマッピング関係を事前に割り当てるように構成される。第１の判定手段３０２は、キャリア・アグリゲーション・パラメータおよび少なくとも１つのユーザ固有ＳＲＳパラメータを判定するように構成される。第１の値割当て手段３０３は、事前に割り当てられたマッピング関係、判定されたキャリア・アグリゲーション・パラメータ、および少なくとも１つのユーザ固有ＳＲＳパラメータに基づいて、アップリンク・スケジュール内のＳＲＳ要求フィールドに値を割り当てるように構成される。第１の送信手段３０４は、アップリンク・スケジュールを送信するように構成される。
【００７８】
本発明の一実施形態によれば、少なくとも１つのユーザ固有ＳＲＳパラメータは、次のパラメータのうちの１つまたは２つを含む。
ＳＲＳタイム・インターバル、ＳＲＳ送信コム・オフセット量、ＳＲＳ周波数ドメイン・ホッピング・スイッチ、循環シフト・インデックス・オフセット量
【００７９】
装置３００を使用して、図１に示された方法を実施することができ、ここで、異なるパラメータの組合せと合同符号化との間のマッピング関係は、図１に関して示された異なるパラメータの組合せと合同符号化との間のマッピング関係と同一である。単純さのために、これを本明細書で詳細に説明することはしない。
【００８０】
図４に、本発明の一実施形態によるキャリア・アグリゲーション・システムの非周期的アップリンク・サウンディング・リファレンス信号ＳＲＳを送信する装置４００のブロック図を示す。装置４００は、たとえば、ユーザ機器またはユーザ機器内のデバイスとすることができる。ユーザ機器は、たとえば、携帯電話機、ポータブル・コンピュータなどとすることができる。このシステム内のアップリンク・スケジュールは、ＳＲＳ要求フィールドを含む。装置４００は、第３の事前割当て手段４０１、受信手段４０２、およびデマッピング手段４０３を含む。第３の事前割当て手段４０１は、アップリンク・スケジュール内のＳＲＳ要求フィールドの異なる値と、キャリア・アグリゲーション・パラメータおよび少なくとも１つのユーザ固有ＳＲＳパラメータの合同符号化との間のマッピング関係を事前に割り当てるように構成される。受信手段４０２は、アップリンク・スケジュールを受信するように構成される。デマッピング手段４０３は、ＳＲＳの送信に使用されるキャリア・アグリゲーション・パラメータおよび少なくとも１つのユーザ固有ＳＲＳパラメータを判定するために、事前に割り当てられたマッピング関係に基づいて、受信されたアップリンク・スケジュール内のＳＲＳ要求フィールドをデマッピングするように構成される。
【００８１】
装置４００を使用して、図２に示された方法を実施することができ、ここで、異なるパラメータの組合せと合同符号化との間のマッピング関係は、図１に関して示した異なるパラメータの組合せと合同符号化との間のマッピング関係と同一である。単純さのために、これを本明細書で詳細に説明することはしない。
【００８２】
図５に、本発明の別の実施形態によるキャリア・アグリゲーション・システムの非周期的アップリンク・サウンディング・リファレンス信号ＳＲＳを動的にトリガする方法の流れ図を示す。このシステムのアップリンク・スケジュールは、１ビットＳＲＳ要求フィールドおよびキャリア・インジケータＣＩＦフィールドを含む。図５に示されているように、ステップ５０１では、アップリンク・スケジュール内のＳＲＳ要求フィールドおよびＣＩＦフィールドの異なる値とキャリア・アグリゲーション・パラメータとの間のマッピング関係を、事前に割り当てる。ステップ５０２では、キャリア・アグリゲーション・パラメータを判定する。ステップ５０３では、事前に割り当てられたマッピング関係および判定されたキャリア・アグリゲーション・パラメータに基づいて、アップリンク・スケジュール内のＳＲＳ要求フィールドに値を割り当てる。ステップ５０４では、アップリンク・スケジュールを送信する。
【００８３】
本発明の一実施形態によれば、マッピング関係は、
ＳＲＳ要求フィールドの第１の値がＳＲＳトリガなしとしてマッピングされることと、
値が割り当てられないＣＩＦフィールドとの組合せでのＳＲＳ要求フィールドの第２の値が、複数のＵＬ  ＣＣ上での非周期的ＳＲＳをトリガするためにマッピングされることと
を含む。
【００８４】
本発明の一実施形態によれば、複数のＵＬ  ＣＣは、ＲＲＣシグナリングを介して構成され、または、アップリンク・スケジュール内の未使用の他の制御フィールドの状態を介して構成される。
【００８５】
図６に、本発明の一実施形態によるキャリア・アグリゲーション・システムの非周期的アップリンク・サウンディング・リファレンス信号ＳＲＳを送信する方法の流れ図を示す。このシステム内のアップリンク・スケジュールは、１ビットＳＲＳ要求フィールドおよびＣＩＦフィールドを含む。図６に示されているように、ステップ６０１では、アップリンク・スケジュール内のＳＲＳ要求フィールドおよびＣＩＦフィールドの異なる値とキャリア・アグリゲーション・パラメータとの間のマッピング関係を事前に割り当てる。ステップ６０２では、アップリンク・スケジュールを受信する。ステップ６０３では、ＳＲＳの送信に使用されるキャリア・アグリゲーション・パラメータを判定するために、事前に割り当てられたマッピング関係に基づいて、受信されたアップリンク・スケジュールをデマッピングする。
【００８６】
本発明の一実施形態によれば、マッピング関係は、
ＳＲＳ要求フィールドの第１の値が、ＳＲＳトリガなしとしてマッピングされることと、
値が割り当てられないＣＩＦフィールドと組み合わされたＳＲＳ要求フィールドの第２の値が、複数のＵＬ  ＣＣ上での非周期的ＳＲＳをトリガするためにマッピングされることと
を含む。
【００８７】
本発明の一実施形態によれば、複数のＵＬ  ＣＣは、ＲＲＣシグナリングを介して構成され、あるいは、アップリンク・スケジュール内の未使用の他の制御フィールドの状態を介して構成される。
【００８８】
図７に、本発明の一実施形態によるキャリア・アグリゲーション・システムの非周期的アップリンク・サウンディング・リファレンス信号ＳＲＳを動的にトリガする装置７００のブロック図を示す。装置７００は、基地局、基地局内の装置、または基地局に接続された装置とすることができる。たとえば、装置７００を、ＬＴＥシステム内のｅＮＢとすることができる。このシステム内のアップリンク・スケジュールは、１ビットＳＲＳ要求フィールドおよびＣＩＦフィールドを含む。装置７００は、第１の事前割当て手段７０１、第２の判定手段７０２、第２の値割当て手段７０３、および第２の送信手段７０４を含む。第１の事前割当て手段７０１は、アップリンク・スケジュール内のＳＲＳ要求フィールドおよびＣＩＦフィールドの異なる値とキャリア・アグリゲーション・パラメータとの間のマッピング関係を事前に割り当てるように構成される。第２の判定手段７０２は、キャリア・アグリゲーション・パラメータを判定するように構成される。第２の値割当て手段７０３は、事前に割り当てられたマッピング関係および判定されたキャリア・アグリゲーション・パラメータに基づいてアップリンク・スケジュール内のＳＲＳ要求フィールドに値を割り当てるように構成される。第２の送信手段７０４は、アップリンク・スケジュールを送信するように構成される。
【００８９】
装置７００を、図５に示された方法を実施するように構成することができ、ここで、マッピング関係は、図５に示されたマッピング関係と同一である。単純さのためにこれを本明細書で詳細に説明することはしない。
【００９０】
図８に、本発明の一実施形態によるキャリア・アグリゲーション・システムの非周期的アップリンク・サウンディング・リファレンス信号ＳＲＳを送信する装置８００のブロック図を示す。装置８００は、たとえば、ユーザ機器またはユーザ機器内のデバイスとすることができる。ユーザ機器は、たとえば、携帯電話機、ポータブル・コンピュータなどとすることができる。このシステム内のアップリンク・スケジュールは、１ビットＳＲＳ要求フィールドおよびＣＩＦフィールドを含む。装置８００は、第４の事前割当て手段８０１、受信手段８０２、およびデマッピング手段８０３を含む。第４の事前割当て手段８０１は、アップリンク・スケジュール内のＳＲＳ要求フィールドおよびＣＩＦフィールドの異なる値とキャリア・アグリゲーション・パラメータとの間のマッピング関係を事前に割り当てるように構成される。受信手段８０２は、アップリンク・スケジュールを受信するように構成される。デマッピング手段８０３は、ＳＲＳの送信に使用されるキャリア・アグリゲーション・パラメータを判定するために、事前に割り当てられたマッピング関係に基づいて、受信されたアップリンク・スケジュールをデマッピングするように構成される。
【００９１】
装置８００を、図６に示された方法を実施するように構成することができ、ここで、マッピング関係は、図６に示されたマッピング関係と同一である。単純さのためにこれを本明細書で詳細に説明することはしない。
【００９２】
本発明の実施形態によれば、ユーザ固有非周期的ＳＲＳパラメータの主要なパラメータまたはその組合せは、ＳＲＳ構成の柔軟性を提供するために、アップリンク・スケジュール内の制限されたビットのＳＲＳ要求フィールドを使用することによって構成される。他のユーザ固有非周期的ＳＲＳパラメータを、固定された値を用いて事前に割り当てることができ、あるいは、ＲＲＣシグナリングによって各ＣＣに関して同一にまたは異なって構成することができ、あるいは、アップリンク・スケジュール内の他の制御フィールドの未使用の予約する状態に基づいて構成することができる。アップリンク・スケジュールは、Ｌ１／Ｌ２制御シグナリングなので、その実行速度は、１ｍｓのレベルで高速であり、これは、ＲＲＣシグナリングの実行時間よりはるかに速い。したがって、本発明の実施形態は、ＳＲＳパラメータをすばやく調整することができ、ＳＲＳ送信柔軟性を改善することができる。
【００９３】
上では、本発明の実施形態を示した。しかし、本発明は、特定の方法および装置に限定されない。当業者は、添付の特許請求の範囲に含まれるさまざまな変形または修正を行うことができる。
【図１】
0005755335.tif 000003
【図２】
0005755335.tif 000004
【図３】
0005755335.tif 000005
【図４】
0005755335.tif 000006
【図５】
0005755335.tif 000007
【図６】
0005755335.tif 000008
【図７】
0005755335.tif 000009
【図８】
0005755335.tif 000010